【手続補正書】
【提出日】平成29年6月23日(2017.6.23)
【手続補正１】
【補正対象書類名】明細書
【補正対象項目名】００９８
【補正方法】変更
【補正の内容】
【００９８】
［実施形態３５］設置環境は窓用フィルムで保護された窓である、実施形態３４に記載の方法。本発明の実施態様の一部を以下の項目［１］−［２０］に記載する。
［項目１］
細長くて柔軟な異形成形品を基材に設置するための設置工具であって、
空洞と、相対した第１及び第２の端部と、を画定するハウジングと、
前記ハウジングに結合された刃アセンブリであって、前記空洞内に配置される刃を含む、刃アセンブリと、
前記ハウジングの前記第２の端部に選択的に装着可能な切断プレートであって、
相対した第１及び第２の主面を画定するプラットフォームと、
前記第１の主面から突き出る第１の異形材と、
前記第２の主面から突き出る、任意選択的な第２の異形材と、を含み、
前記第１の異形材と、前記任意選択的な第２の異形材とは、細長くて柔軟な異形成形品を保持するように構成され、前記第１の異形材は、前記第２の異形材があるならば前記第２の異形材とは異なっている、切断プレートと、を含み、
前記切断プレートを前記ハウジングの前記第２の端部に選択的に装着することが、第１の異形材が前記刃に面している第１の切断状態と、前記第２の異形材がある場合であって、第２の異形材が前記刃に面している、任意選択の第２の切断状態と、を画定する、設置工具。
［項目２］
前記ハウジングは、前記第２の端部に開口するスロットを更に画定し、前記スロットは、細長くて柔軟な異形成形品を受容するための前記ハウジングの相対した面において開口している、項目１に記載の設置工具。
［項目３］
前記切断プレートは、第１の切断状態にあるスロットの方向に前記第１の異形材を配置するように構成され、前記第２の異形材がある場合は、第２の切断状態にあるスロットの方向に前記第２の異形材を配置するように構成される、項目２に記載の設置工具。
［項目４］
前記第２の異形材が存在し、かつ更に前記第１の異形材及び第２の異形材は、それぞれ前記第１の切断状態及び第２の切断状態において、細長くて柔軟な異形成形品が、前記刃を用いて切断するための前記対応する異形材によって決定される屈曲した切断状況の配置に保持されるように構成されている、項目３に記載の設置工具。
［項目５］
前記第１の異形材は、前記第１の主面から突き出ていて、前記第１の主面と相対した前縁において終端する支持壁を含み、前記前縁は曲線を形成する、項目１に記載の設置工具。
［項目６］
前記支持壁は、前記前縁と前記第１の主面との間に延びる相対した側縁部を更に画定し、前記側縁部は実質的に平面である、項目５に記載の設置工具。
［項目７］
前記ハウジングは、細長くて柔軟な異形成形品を受容するように構成されたスロットを更に画定し、かつ更に前記第１の切断状態が、前記スロットの方向に延びている前記前縁を含む、項目５に記載の設置工具。
［項目８］
前記第１の切断状態が、前記刃に隣接している前記前縁を含む、項目５に記載の設置工具。
［項目９］
前記第２の異形材は存在し、更に前記第２の異形材は、前記第２の主面から突き出る第１及び第２の離間して配置されたリブを含み、ノッチが、各リブを通して形成され、前記刃を受け取るサイズである項目１に記載の設置工具。
［項目１０］
前記刃アセンブリは、前記刃が前記切断プレートから離れるように付勢する付勢メカニズムを更に含み、かつ更に前記設置工具は、前記切断プレートに装着された細長くて柔軟な異形部材を、前記付勢メカニズムの付勢力に打ち勝つのに十分なユーザ印加力を介して分断することをもたらすように構成されている、項目１に記載の設置工具。
［項目１１］
前記刃は直線刃である、項目１に記載の設置工具。
［項目１２］
前記刃アセンブリは、ガイド部材を更に含み、かつ更に前記空洞は、前記切断プレートに対する前記刃の空間方位を設定するときに、前記ガイド部材の領域を選択的に捕捉するように構成されたガイド経路を画定する、項目１に記載の設置工具。
［項目１３］
前記ガイド経路は、前記ガイド部材を前記切断プレートに対して第１の空間方位に配置するように構成された第１の端部領域を形成し、かつ前記ガイド部材を前記切断プレートに対して第２の空間方位に配置するように構成された第２の端部領域を形成する、項目１２に記載の設置工具。
［項目１４］
前記ハウジングは、細長くて柔軟な異形成形品を窓に適用するように構成された第１の位置合わせ面を画定する外面を形成する、項目１に記載の設置工具。
［項目１５］
前記第１の位置合わせ面は、
前記第１の端部から前記第２の端部へ延びる谷部であって、
前記谷部の幅は前記ハウジングの長さに垂直な方向に画定され、
かつ更に前記第１の端部における前記谷部の前記幅は、前記第２の端部における前記谷部の前記幅とは異なっている、谷部を含む、項目１４に記載の設置工具。
［項目１６］
前記各位置合わせ面は、前記対応する谷部内に形成されて、その長さに沿って延びる隆起部を更に含み、かつ更に前記隆起部は、細長くて柔軟な異形成形品とスライド可能に接合するための曲面を形成する、項目１５に記載の設置工具。
［項目１７］
自然状況で非屈曲形状を有する柔軟な異形成形品を設置する方法であって、
前記柔軟な異形成形品を設置工具内に挿入することであって、前記設置工具によって強制的に、前記柔軟な異形成形品を前記非屈曲形状とは異なる屈曲した切断形状を有する屈曲した切断状況にすることを含む、挿入することと、
前記設置工具を作動させて、前記柔軟な異形成形品を切断する一方で、前記屈曲した切断状況において、マイター切断端部を有する柔軟な異形成形品セグメントを画定することと、
前記柔軟な異形成形品セグメントが前記自然状況の方へ自由に戻るように、前記柔軟な異形成形品セグメントを前記設置工具から取り出すことであって、
前記マイター切断端部は、前記屈曲した切断状況では実質的に直線状であり、かつ前記自然状況では湾曲した外形を有する、取り出すことと、
前記柔軟な異形成形品セグメントを設置環境に配置することと、を含む、方法。
［項目１８］
前記設置工具は直線刃を含み、かつ前記設置工具を作動させて前記柔軟な異形成形品を切断する前記工程は、前記柔軟な異形成形品を前記直線刃を用いて切断することを含む、項目１７に記載の方法。
［項目１９］
前記柔軟な異形成形品セグメントを設置環境に配置する前記工程は、前記柔軟な異形成形品セグメントを屈曲させて、前記非屈曲形状及び前記屈曲した切断状況の前記屈曲形状とは異なる屈曲形状を有する屈曲した設置状況にすることを含む、項目１８に記載の方法。
［項目２０］
前記柔軟な異形成形品は、柔軟な接続部分によって相互接続され相対した脚部分を画定し、かつ更に前記屈曲した切断状況は、実質的に平行に並べられた前記相対した脚部分を含み、かつ前記屈曲した設置状況は、実質的に垂直に並べられた相対した脚部分を含む、項目１９に記載の方法。
【手続補正２】
【補正対象書類名】特許請求の範囲
【補正対象項目名】全文
【補正方法】変更
【補正の内容】
【特許請求の範囲】
【請求項１】
細長くて柔軟な異形成形品を基材に設置するための設置工具であって、
空洞と、相対した第１及び第２の端部と、を画定するハウジングと、
前記ハウジングに結合された刃アセンブリであって、前記空洞内に配置される刃を含む、刃アセンブリと、
前記ハウジングの前記第２の端部に選択的に装着可能な切断プレートであって、
相対した第１及び第２の主面を画定するプラットフォームと、
前記第１の主面から突き出る第１の異形材と、
前記第２の主面から突き出る、任意選択的な第２の異形材と、を含み、
前記第１の異形材と、前記任意選択的な第２の異形材とは、細長くて柔軟な異形成形品を保持するように構成され、前記第１の異形材は、前記第２の異形材があるならば前記第２の異形材とは異なっている、切断プレートと、を含み、
前記切断プレートを前記ハウジングの前記第２の端部に選択的に装着することが、第１の異形材が前記刃に面している第１の切断状態と、前記第２の異形材がある場合であって、第２の異形材が前記刃に面している、任意選択の第２の切断状態と、を画定し、
前記刃は直線刃である、設置工具。
【請求項２】
前記ハウジングは、前記第２の端部に開口するスロットを更に画定し、前記スロットは、細長くて柔軟な異形成形品を受容するための前記ハウジングの相対した面において開口している、請求項１に記載の設置工具。
【請求項３】
前記切断プレートは、第１の切断状態にあるスロットの方向に前記第１の異形材を配置するように構成され、前記第２の異形材がある場合は、第２の切断状態にあるスロットの方向に前記第２の異形材を配置するように構成される、請求項２に記載の設置工具。
【請求項４】
前記第１の異形材は、前記第１の主面から突き出ていて、前記第１の主面と相対した前縁において終端する支持壁を含み、前記前縁は曲線を形成する、請求項１に記載の設置工具。
【請求項５】
前記ハウジングは、細長くて柔軟な異形成形品を受容するように構成されたスロットを更に画定し、かつ更に前記第１の切断状態が、前記スロットの方向に延びている前記前縁を含む、請求項４に記載の設置工具。
【請求項６】
前記第２の異形材は存在し、更に前記第２の異形材は、前記第２の主面から突き出る第１及び第２の離間して配置されたリブを含み、ノッチが、各リブを通して形成され、前記刃を受け取るサイズである請求項１に記載の設置工具。
【請求項７】
前記刃アセンブリは、ガイド部材を更に含み、かつ更に前記空洞は、前記切断プレートに対する前記刃の空間方位を設定するときに、前記ガイド部材の領域を選択的に捕捉するように構成されたガイド経路を画定する、請求項１に記載の設置工具。
【請求項８】
前記ハウジングは、細長くて柔軟な異形成形品を窓に適用するように構成された第１の位置合わせ面を画定する外面を形成する、請求項１に記載の設置工具。
【請求項９】
自然状況で非屈曲形状を有する柔軟な異形成形品を設置する方法であって、
前記柔軟な異形成形品を設置工具内に挿入することであって、前記設置工具によって強制的に、前記柔軟な異形成形品を前記非屈曲形状とは異なる屈曲した切断形状を有する屈曲した切断状況にすることを含む、挿入することと、
前記設置工具を作動させて、前記柔軟な異形成形品を切断する一方で、前記屈曲した切断状況において、マイター切断端部を有する柔軟な異形成形品セグメントを画定することと、
前記柔軟な異形成形品セグメントが前記自然状況の方へ自由に戻るように、前記柔軟な異形成形品セグメントを前記設置工具から取り出すことであって、
前記マイター切断端部は、前記屈曲した切断状況では実質的に直線状であり、かつ前記自然状況では湾曲した外形を有する、取り出すことと、
前記柔軟な異形成形品セグメントを設置環境に配置することと、を含み、
前記柔軟な異形成形品セグメントを設置環境に配置する前記工程は、前記柔軟な異形成形品セグメントを屈曲させて、前記非屈曲形状及び前記屈曲した切断状況の前記屈曲形状とは異なる屈曲形状を有する屈曲した設置状況にすることを含む、方法。